(57)【要約】【課題】無線接続システムにおける遊休モード動作方法の提供。【解決手段】移動局（ｍｏｂｉｌｅ  ｓｔａｔｉｏｎ）で遊休モードを制御する方法は、遊休モードに進入するために前記遊休モード要請メッセージをサービング基地局に転送する段階を含む。前記方法はまた、前記移動局の移動局識別子を含むページングメッセージを受信する前に、省略可能なページング区間の回数と関連した省略限度値パラメータ（ｓｋｉｐ  ｔｈｒｅｓｈｏｌｄ  ｐａｒａｍｅｔｅｒ）が超過したか否かを決定する段階を含む。前記方法はまた、もし前記省略限度値パラメータが超過した場合、前記基地局に対する前記移動局の位置を更新するために構成された位置更新要請を基地局に転送する段階を含む。【選択図】図１
2008526083.tif 000002
【特許請求の範囲】
【請求項１】
移動局（ｍｏｂｉｌｅ  ｓｔａｔｉｏｎ）で遊休モードを制御する方法において、
遊休モードに進入するために前記遊休モード要請メッセージをサービング基地局に転送する段階と、
前記移動局の移動局識別子を含むページングメッセージを受信する前に、省略可能なページング区間の回数と関連した省略限度値パラメータ（ｓｋｉｐ  ｔｈｒｅｓｈｏｌｄ  ｐａｒａｍｅｔｅｒ）が超過したか否かを決定する段階と、
もし前記省略限度値パラメータが超過した場合、前記基地局に対する前記移動局の位置を更新するために構成された位置更新要請を基地局に転送する段階と、
を含む、遊休モード制御方法。
【請求項２】
前記移動局から省略限度値要請パラメータを転送する段階と、
前記省略限度値要請パラメータの転送に対応して前記省略限度値パラメータを受信する段階と、をさらに含む、請求項１に記載の遊休モード制御方法。
【請求項３】
前記移動局の移動局識別子を含むページングメッセージの受信に対して、前記省略限度値パラメータが超過したか否かを決定する段階を再初期化する段階をさらに含む、請求項１に記載の遊休モード制御方法。
【請求項４】
前記移動局に向かう下り回線のトラフィックがない場合、ページンググループに属する少なくとも一つの基地局から前記移動局の移動局識別子のないページングメッセージを受信する段階をさらに含む、請求項１に記載の遊休モード制御方法。
【請求項５】
位置更新要請がない場合、前記移動局の移動局識別子のないページングメッセージを、ページンググループに属する少なくとも一つの基地局から受信する段階をさらに含む、請求項１に記載の遊休モード制御方法。
【請求項６】
前記省略限度値パラメータは、ページング動作を行うために、少なくとも一つのＭＡＣ（Ｍｅｄｉｕｍ  Ａｃｃｅｓｓ  Ｃｏｎｔｒｏｌ）アドレスハッシュ（ｈａｓｈ）、動作コード（ａｃｔｉｏｎ  ｃｏｄｅ）、及びＴＬＶ（Ｔｙｐｅ  Ｌｅｎｇｔｈ  Ｖａｌｕｅ）パラメータを含むことを特徴とする、請求項１に記載の遊休モード制御方法。
【請求項７】
前記移動局の移動局識別子を含むページングメッセージは、ページング広告メッセージであることを特徴とする、請求項１に記載の遊休モード制御方法。
【請求項８】
ネットワーク（ｎｅｔｗｏｒｋ）で移動局の遊休モードを制御する方法において、
遊休モードに進入するために前記移動局から遊休モード要請メッセージを受信する段階と、
前記移動局から省略限度値要請パラメータを受信する段階と、
前記省略限度値要請パラメータの受信に対応して、前記移動局が、前記移動局の移動局識別子を含むページングメッセージを受信する前に、省略可能なページング区間の回数と関連した省略限度値パラメータを転送する段階と、
もし前記省略限度値パラメータが超過した場合、前記移動局から、前記移動局の位置を更新するために構成された位置更新要請を受信する段階を含む、遊休モード制御方法。
【請求項９】
前記移動局に向かう下り回線のトラフィックがない場合、前記移動局の移動局識別子のないページングメッセージを前記移動局に転送する段階と、
前記基地局からパケットデータを受信する段階と、を含み、
少なくとも２つの再転送されたパケットデータは、前記基地局の相異なるアンテナから転送され、前記再転送されたパケットデータは、前記基地局によって再転送された回数と関連した再転送回数を含む情報要素と共に受信されることを特徴とする、請求項８に記載の遊休モード制御方法。
【請求項１０】
前記移動局から受信した位置更新要請がない場合、前記移動局の移動局識別子を含まないページングメッセージを前記移動局に転送する段階をさらに含む、請求項８に記載の遊休モード制御方法。
【請求項１１】
前記ネットワークは、少なくとも一つの基地局及びページンググループに属する基地局のページングを制御するために構成されたページング制御局（ｐａｇｉｎｇ  ｃｏｎｔｒｏｌｌｅｒ）を備えていることを特徴とする、請求項８に記載の遊休モード制御方法。
【請求項１２】
前記省略限度値パラメータは、ページング動作を行うために、少なくとも一つのＭＡＣ（Ｍｅｄｉｕｍ  Ａｃｃｅｓｓ  Ｃｏｎｔｒｏｌ）アドレスハッシュ（ｈａｓｈ）、動作コード（ａｃｔｉｏｎ  ｃｏｄｅ）、及びＴＬＶ（Ｔｙｐｅ  Ｌｅｎｇｔｈ  Ｖａｌｕｅ）パラメータを含むことを特徴とする、請求項８に記載の遊休モード制御方法。
【請求項１３】
前記移動局の移動局識別子を含むページングメッセージは、ページング広告メッセージであることを特徴とする、請求項８に記載の遊休モード制御方法。
【請求項１４】
無線接続システムで遊休モードを制御するための移動局（ｍｏｂｉｌｅ  ｓｔａｔｉｏｎ）において、
遊休モードに進入するために前記遊休モード要請メッセージをサービング基地局に転送する手段と、
前記移動局の移動局識別子を含むページングメッセージを受信する前に、省略可能なページング区間の回数と関連した省略限度値パラメータ（ｓｋｉｐ  ｔｈｒｅｓｈｏｌｄ  ｐａｒａｍｅｔｅｒ）が超過したか否かを決定する手段と、
もし前記省略限度値パラメータが超過した場合、前記基地局に対する前記移動局の位置を更新するために構成された位置更新要請を基地局に転送する手段と、
を含む、移動局。
【請求項１５】
前記移動局から省略限度値要請パラメータを転送する手段と、
前記省略限度値要請パラメータの転送に対応して前記省略限度値パラメータを受信する手段と、をさらに含む、請求項１４に記載の移動局。
【請求項１６】
前記移動局の移動局識別子を含むページングメッセージの受信に対して前記省略限度値パラメータが超過したか否かを決定する手段を再初期化する手段をさらに含む、請求項１４に記載の移動局。
【請求項１７】
前記移動局に向かう下り回線のトラフィックがない場合、ページンググループに属する少なくとも一つの基地局から前記移動局の移動局識別子のないページングメッセージを受信する手段をさらに含む、請求項１４に記載の移動局。
【請求項１８】
位置更新要請がない場合、前記移動局の移動局識別子のないページングメッセージをページンググループに属する少なくとも一つの基地局から受信する手段をさらに含む、請求項１４に記載の移動局。
【請求項１９】
前記省略限度値パラメータは、ページング動作を行うために少なくとも一つのＭＡＣ（Ｍｅｄｉｕｍ  Ａｃｃｅｓｓ  Ｃｏｎｔｒｏｌ）アドレスハッシュ（ｈａｓｈ）、動作コード（ａｃｔｉｏｎ  ｃｏｄｅ）、及びＴＬＶ（Ｔｙｐｅ  Ｌｅｎｇｔｈ  Ｖａｌｕｅ）パラメータを含むことを特徴とする、請求項１４に記載の移動局。
【請求項２０】
前記移動局の移動局識別子を含むページングメッセージは、ページング広告メッセージであることを特徴とする、請求項１４に記載の移動局。
【請求項２１】
無線接続システムで遊休モードを制御するためのネットワーク（ｎｅｔｗｏｒｋ）において、
遊休モードに進入するために前記移動局から遊休モード要請メッセージを受信する手段と、
前記移動局から省略限度値要請パラメータを受信する手段と、
前記省略限度値要請パラメータの受信に対応して、前記移動局が前記移動局の移動局識別子を含むページングメッセージを受信する前に、省略可能なページング区間の回数と関連した省略限度値パラメータを転送する手段と、
もし前記省略限度値パラメータが超過した場合、前記移動局から、前記移動局の位置を更新するために構成された位置更新要請を受信する手段と、
を含む、ネットワーク。
【請求項２２】
前記移動局に向かう下り回線のトラフィックがない場合、前記移動局の移動局識別子のないページングメッセージを前記移動局に転送する手段と、
前記基地局からパケットデータを受信する手段と、を含み、
少なくとも２つの再転送されたパケットデータは、前記基地局の相異なるアンテナから転送され、前記再転送されたパケットデータは、前記基地局によって再転送された回数と関連した再転送回数を含む情報要素と共に受信されることを特徴とする、請求項２１に記載のネットワーク。
【請求項２３】
前記移動局から受信された位置更新要請がない場合、前記移動局の移動局識別子を含まないページングメッセージを前記移動局に転送する手段をさらに含む、請求項２１に記載のネットワーク。
【請求項２４】
前記ネットワークは、少なくとも一つの基地局及びページンググループに属する基地局のページングを制御するために構成されたページング制御局（ｐａｇｉｎｇ  ｃｏｎｔｒｏｌｌｅｒ）を備えていることを特徴とする、請求項２１に記載の遊休モード制御方法。
【請求項２５】
前記省略限度値パラメータは、ページング動作を行うために、少なくとも一つのＭＡＣ（Ｍｅｄｉｕｍ  Ａｃｃｅｓｓ  Ｃｏｎｔｒｏｌ）アドレスハッシュ（ｈａｓｈ）、動作コード（ａｃｔｉｏｎ  ｃｏｄｅ）、及びＴＬＶ（Ｔｙｐｅ  Ｌｅｎｇｔｈ  Ｖａｌｕｅ）パラメータを含むことを特徴とする、請求項２１に記載のネットワーク。
【請求項２６】
前記移動局の移動局識別子を含むページングメッセージは、ページング広告メッセージであることを特徴とする、請求項２１に記載のネットワーク。
【発明の詳細な説明】
【技術分野】
【０００１】
本発明は、無線接続システムに係り、より詳細には、無線接続システムにおける遊休モード動作方法に関する。
【背景技術】
【０００２】
従来の無線接続システムは、移動局（ＭＳ：Ｍｏｂｉｌｅ  Ｓｔａｔｉｏｎ）による電力消耗を減らすために遊休モード（ｉｄｌｅ  ｍｏｄｅ）を支援する。ページング領域で、遊休モードの移動局は、特定基地局（ＢＳ：Ｂａｓｅ  Ｓｔａｔｉｏｎ）に登録されていなく、ある基地局から他の基地局へハンドオーバーもしない。ページング領域は、複数の基地局領域を含んでいる。移動局は、既に設定されたページングメッセージ（例えば、ＭＯＢ−ＰＡＧ−ＡＤＶ）から、移動局への下り回線のトラフィックの存在するか否かを周期的に認識できる。このような動作によって、移動局による電力の消費を減らすことができる。
【０００３】
遊休モード動作は、次の通りである。ページング領域は、ページンググループと呼ばれるグループに含まれた複数の基地局である。同じページンググループに含まれた基地局は、同じページング周期（例えば、Ｐａｇｉｎｇ＿Ｃｙｃｌｅ）及び同じページングオフセット（例えば、Ｐａｇｉｎｇ＿Ｏｆｆｓｅｔ）を持つ。移動局は、基地局に遊休モードの進入を要求することができる。基地局は、自分のページンググループ識別子（例えば、Ｐａｇｉｎｇ  Ｇｒｏｕｐ  ＩＤ）、ページンググループ識別子に対応するページング周期及びページングオフセットを移動局に転送し、移動局が遊休モードに進入できるようにする。この場合、移動局及び基地局は、遊休モードに進入する移動局に関連した位置情報更新のためのタイマーを動作させる。
【０００４】
もし、移動局が遊休モード状態で下り回線のトラフィックを受信すると、基地局は、ページング広告メッセージ（例えば、ＭＯＢ−ＰＡＧ−ＡＤＶ）を用いて移動局が遊休モードを終了するように許諾できる。もし、遊休モード状態にある移動局が同期時点を失い、設定された時間にページング広告メッセージ（例えば、ＭＯＢ−ＰＡＧ−ＡＤＶ）を受信できないと、移動局は遊休モードを終了する。
【０００５】
もし、遊休モードにある移動局が、現在ページンググループから他のページンググループへ移動する、または、情報更新のためのタイマーが満了すると、有効でないパラメータをネットワーク再登録手順によって更新することによって位置更新手順を行う。この場合に、移動局は、基地局によって維持される管理資源情報に基づき、省略可能な手順を省略することによって位置更新手順を速かに行うことができる。
【発明の開示】
【発明が解決しようとする課題】
【０００６】
本発明は上記の従来技術の制限及び不利な点による１つ以上の問題点を実質的に解決するためのもので、無線接続システムにおける遊休モード動作方法に関する。
【０００７】
本発明の目的は、遊休モードを維持するか否かを指示する情報を提供するメッセージの長さを減らすための方法を提供することにある。これにより、本発明は、下り回線の無線資源をより效率的に使用できるようにし、遊休モード状態にある移動局のメッセージ処理のための電力消耗を最小限に抑えることができる。
【０００８】
本発明の追加的な長所、目的及び特徴は、一部は以下の詳細な説明で記述され、一部は以下の詳細な説明から当該技術分野における通常の技術を持つ者にとって明らかになるか、または、発明の実施から明らかになる。本発明の目的及び長所は、添付の図面の他、作成された詳細な説明及び請求項で詳細に指摘された構成によって得られ、具体化される。
【課題を解決するための手段】
【０００９】
上記した利点またはその他の利点を得るために、かつ、本発明の目的に応じてここに具体化され、概略的に説明された本発明の一実施例として、移動局（ｍｏｂｉｌｅ  ｓｔａｔｉｏｎ）で遊休モードを制御する方法は、遊休モードに進入するために前記遊休モード要請メッセージをサービング基地局に転送する段階を含む。前記方法はまた、前記移動局の移動局識別子を含むページングメッセージを受信する前に、省略可能なページング区間の回数と関連した省略限度値パラメータ（ｓｋｉｐ  ｔｈｒｅｓｈｏｌｄ  ｐａｒａｍｅｔｅｒ）が超過したか否かを点検する段階を含む。前記方法はまた、もし前記省略限度値パラメータが超過した場合、前記基地局に対する前記移動局の位置を更新するために構成された位置更新要請を基地局に転送する段階を含む。
【００１０】
前記方法は、前記移動局から、省略限度値要請パラメータを転送する段階及び前記省略限度値要請パラメータの転送に対応して前記省略限度値パラメータを受信する段階をさらに含むことができる。前記方法は、前記移動局の移動局識別子を含むページングメッセージの受信に対して前記省略限度値パラメータが超過したか否かを決定する段階を再初期化する段階をさらに含むことができる。前記方法は、前記移動局に向かう下り回線のトラフィックがない場合、ページンググループに属する少なくとも一つの基地局から前記移動局の移動局識別子のないページングメッセージを受信する段階をさらに含むことができる。前記方法は、位置更新要請がない場合、前記移動局の移動局識別子のないページングメッセージを、ページンググループに属する少なくとも一つの基地局から受信する段階をさらに含むことができる。
【００１１】
前記省略限度値パラメータは、ページング動作を行うために、少なくとも一つのＭＡＣ（Ｍｅｄｉｕｍ  Ａｃｃｅｓｓ  Ｃｏｎｔｒｏｌ）アドレスハッシュ（ｈａｓｈ）、動作コード（ａｃｔｉｏｎ  ｃｏｄｅ）、及びＴＬＶ（Ｔｙｐｅ  Ｌｅｎｇｔｈ  Ｖａｌｕｅ）パラメータを含むことができる。前記移動局の移動局識別子を含むページングメッセージは、ページング広告メッセージでありうる。
【００１２】
本発明の他の実施例として、ネットワーク（ｎｅｔｗｏｒｋ）で移動局の遊休モードを制御する方法は、遊休モードに進入するために前記移動局から遊休モード要請メッセージを受信する段階を含む。前記方法はまた、前記移動局から省略限度値要請パラメータを受信する段階を含む。前記方法はまた、前記省略限度値要請パラメータの受信に対応して、前記移動局が前記移動局の移動局識別子を含むページングメッセージを受信する前に、省略可能なページング区間の回数と関連した省略限度値パラメータを転送する段階を含む。前記方法はまた、もし前記省略限度値パラメータが超過した場合、前記移動局から、前記移動局の位置を更新するために構成された位置更新要請を受信する段階を含む。
【００１３】
前記方法は、前記移動局に向かう下り回線のトラフィックがない場合、前記移動局の移動局識別子のないページングメッセージを前記移動局に転送する段階及び前記基地局からパケットデータを受信する段階とを含むことができ、ここで、少なくとも２つの再転送されたパケットデータは、前記基地局の相異なるアンテナから転送されることを特徴とする。前記再転送されたパケットデータは、前記基地局によって再転送された回数と関連した再転送回数を含む情報要素と共に受信することを特徴とする。
【００１４】
前記方法は、前記移動局から受信した位置更新要請がない場合、前記移動局の移動局識別子を含まないページングメッセージを前記移動局に転送する段階をさらに含むことができる。前記ネットワークは、少なくとも一つの基地局及びページンググループに属する基地局のページングを制御するために構成されたページング制御局（ｐａｇｉｎｇ  ｃｏｎｔｒｏｌｌｅｒ）を含むことができる。
【００１５】
前述及びその他の本発明の目的、特徴、様相及び長所は、添付の図面に基づく以下の本発明の詳細な説明からより明確になるだろう。前述の概略的な説明と以下の本発明の詳細な説明はいずれも例示的且つ説明的なもので、請求された発明をより説明するためのものである。
【産業上の利用可能性】
【００１６】
本発明は、広帯域無線接続システムで適用可能である。
【発明を実施するための最良の形態】
【００１７】
以下、添付の図面に基づき、本発明の好適な実施例について詳細に説明する。図面中、同一の構成要素ついては可能な限り同一の参照番号を共通使用するものとする。
【００１８】
表１に、ページング領域を構成するための基地局間メッセージ、例えば、“Ｐａｇｉｎｇ−Ｇｒｏｕｐ−Ａｃｔｉｏｎ”メッセージの一例を示す。この基地局間メッセージは、有線上で基地局間に転送されることができる。
【００１９】
【表１】
2008526083.tif 000003
前記基地局間メッセージは、動作（Ａｃｔｉｏｎ）ビットの組み合わせによって次の４つの用途に用いられることができる。第１用途において、ターゲット基地局（ｔａｒｇｅｔ  ＢＳ）を“Ａｃｔｉｏｎ＝０”で表示することによって特定ページンググループに指定することができる。第２用途では、ターゲット基地局を“Ａｃｔｉｏｎ＝１”で表示することによって特定ページンググループから除外することができる。第３用途では、“Ａｃｔｉｏｎ＝２”で表示してターゲット基地局がどのページンググループに属するか照会できる。第４用途では、送信する基地局（Ｓｅｎｄｅｒ  ＢＳ）がどのページンググループに属するかを、“Ａｃｔｉｏｎ＝３”で表示して知らせることもできる。
【００２０】
基地局が１つ以上のページング領域に属することができるため、Ｐａｇｉｎｇ−Ｇｒｏｕｐ−Ａｃｔｉｏｎメッセージは複数のページンググループと関連した情報を含むことができる。基地局は、Ｐａｇｉｎｇ−Ｇｒｏｕｐ−Ａｃｔｉｏｎメッセージを用いて各ページング領域で使用するためのページング周期及びページングオフセットを認識できる。したがって、基地局は動的にページンググループに割り当てられることができる。
【００２１】
図１は、本発明の一実施例による、複数の基地局を含むページンググループを示すダイアグラムである。
【００２２】
図１に示すように、遊休モード（Ｉｄｌｅ  Ｍｏｄｅ）を支援する複数の基地局（ＢＳ；Ｂａｓｅ  Ｓｔａｔｉｏｎ）がページンググループ（Ｐａｇｉｎｇ  Ｇｒｏｕｐ）に所属してページング領域を構成する。
【００２３】
表２に、移動局が遊休モードに切り替える時に使用する登録解除要請メッセージＤＲＥＧ＿ＲＥＱの一例を示す。
【００２４】
【表２】
2008526083.tif 000004
移動局は、前記登録解除要請メッセージＤＲＥＧ＿ＲＥＱの登録解除要請コード（Ｄｅ−ｒｅｇｉｓｔｒａｔｉｏｎ  Ｒｅｑｕｅｓｔ  Ｃｏｄｅ）を０ｘ０１に設定して基地局に伝達することによって、自分の遊休モードとの切り替えを要請できる。この時、移動局は、希望するページング周期及び遊休モードに切り替わった後に、基地局が維持したがっている移動局の管理資源情報を基地局に伝達することができる。
【００２５】
表３は、前記登録解除要請メッセージＤＲＥＧ＿ＲＥＱのためのＴＬＶエンコーデッドパラメータ（ＴＬＶ  ｅｎｃｏｄｅｄ  ｐａｒａｍｅｔｅｒｓ）を示す一例である。
【００２６】
【表３】
2008526083.tif 000005
移動局（ＭＳ）からＤＲＥＧ−ＲＥＱメッセージを受信した後に、基地局（ＢＳ）は登録解除命令（例えば、ＤＲＥＧ−ＣＭＤ）メッセージを用いて応答することができる。
【００２７】
表４は、登録解除命令メッセージ（ＤＲＥＧ−ＣＭＤ）の一例である。
【００２８】
【表４】
2008526083.tif 000006
基地局は、ＤＲＥＧ−ＣＭＤメッセージの動作コード（ａｃｔｉｏｎ  ｃｏｄｅ＝０ｘ０５）を用いて遊休モードへの切り替えを許容する。基地局は、既に設定された時間後に遊休モードへの切り替えを再び要請するようにすることができる（ａｃｔｉｏｎ  ｃｏｄｅ＝０ｘ０６）。選択的に、基地局は、ＤＲＥＧ−ＣＭＤメッセージを転送するまで移動局の遊休モードへの切り替えを要請しないようにすることができる。（ａｃｔｉｏｎ  ｃｏｄｅ＝０ｘ０７）。
【００２９】
表５は、ＤＲＥＧ−ＣＭＤの動作コード（ａｃｔｉｏｎ  ｃｏｄｅ）の一例である。
【００３０】
【表５】
2008526083.tif 000007
登録解除命令メッセージＤＲＥＧ＿ＣＭＤに選択的に含まれるＴＬＶ（Ｔｙｐｅ  Ｌｅｎｇｔｈ  Ｖａｌｕｅ）項目を用いて、該当移動局が遊休モード中に維持すべきページンググループＩＤ（Ｐａｇｉｎｇ  Ｇｒｏｕｐ  ＩＤ）、ページング周期（Ｐａｇｉｎｇ＿Ｃｙｃｌｅ）、そしてページングオフセット（Ｐａｇｉｎｇ＿Ｏｆｆｓｅｔ）値を伝達できる。ページングオフセットは、移動局の遊休モードの間に維持されなければならない。
【００３１】
表６は、登録解除命令メッセージＤＲＥＧ＿ＣＭＤに含まれるＴＬＶパラメータの一例である。
【００３２】
【表６】
2008526083.tif 000008
表６に示すように、ＤＲＥＧ−ＣＭＤメッセージは、ＴＬＶパラメータを提供する。ＤＲＥＧ−ＣＭＤメッセージはページング情報を含み、移動局が遊休モードに切り替わった後に基地局によって維持される移動局管理資源情報及びページング制御局識別子（Ｐａｇｉｎｇ  ｃｏｎｔｒｏｌｌｅｒ  ＩＤ）を含む。移動局が遊休モードに切り替わる時に基地局によって維持される情報は、以降、該当遊休モード移動局が遊休モードを終了したり、位置更新手順を行う場合、ネットワーク登録手順から該当情報を獲得するための手順を省略可能にすることによって、移動局の迅速なネットワーク登録及び位置更新を可能にするためである。
【００３３】
表７に、ページング広告メッセージＭＯＢ−ＰＡＧ−ＡＤＶの一例を示す。
【００３４】
【表７】
2008526083.tif 000009
移動局は、前記ページング広告メッセージＭＯＢ−ＰＡＧ−ＡＤＶを定められたページング周期にページングオフセットに受信することによって遊休モードを維持したり、遊休モードを終了することができる。遊休モードの移動局は、基地局から周期的に転送されるページング広告メッセージ（ＭＯＢ−ＰＡＧ−ＡＤＶ）を受信することによって遊休モードを終了するか、位置更新手順を行うか、または、遊休モードを継続して維持するかを決定する。
【００３５】
一つのページンググループに属する基地局は、同じページング広告メッセージＭＯＢ−ＰＡＧ−ＡＤＶを介して、ページンググループ内の全ての遊休モード移動局の動作を指示する。この時、各移動局を区別する識別子として、２４ビットの長さを持つ媒体接続制御（Ｍｅｄｉｕｍ  Ａｃｃｅｓｓ  Ｃｏｎｔｒｏｌ；以下、‘ＭＡＣ’という。）アドレスハッシュを使用することができる。遊休モード移動局は、ページング広告メッセージＭＯＢ−ＰＡＧ−ＡＤＶのページンググループＩＤパラメータ設定値に基づいて、ページンググループが変更された否かを判断する。遊休モード移動局は、ページング広告メッセージＭＯＢ−ＰＡＧ−ＡＤＶから該当の移動局の識別子（例えば、ＭＡＣアドレスハッシュ）を発見することによって、ページンググループ内で遊休モードが正常に動作されていることを点検する。
【００３６】
もし、遊休モード移動局がページング広告ＭＯＢ−ＰＡＧ−ＡＤＶメッセージ  を受信し、ページング広告メッセージ内で該当移動局の識別子（例えば、ＭＡＣアドレスハッシュ）を発見できないと、遊休モード動作に問題があるものと判断し、遊休モードを終了することができる。ページンググループ内の全ての基地局は、位置更新手順を行ったり、下りトラフィックを受信するために、ネットワーク登録手順を行わない移動局であっても該当の移動局の識別子（例えば、ＭＡＣアドレスハッシュ）をページング広告メッセージに含めて転送しなければならない。
【００３７】
このとき、遊休モードを支援できる基地局は、ＭＯＢ−ＰＡＧ−ＡＤＶメッセージに同じページンググループに属している遊休モード移動局の識別子を含む。基地局はまた、移動局識別子（ＭＳ  ＩＤ）を含んでいるＭＯＢ−ＰＡＧ−ＡＤＶメッセージを放送情報に切り替える。しかも、基地局は、放送情報をページング時間の区間でターゲット移動局に転送する。したがって、遊休モードに切り替わる移動局の数が増加するほど、該当のページンググループで基地局によって周期的に転送されるべきＭＯＢ−ＰＡＧ−ＡＤＶメッセージの長さも、移動局の数が増加するに比例して増加する。なお、ＭＯＢ−ＰＡＧ−ＡＤＶメッセージを転送するために要求される下り回線帯域が増加し、このため、基地局は無線資源を效率的に使用することができない。しかも、ＭＯＢ−ＰＡＧ−ＡＤＶメッセージの長さと関連して、ＭＯＢ−ＰＡＧ−ＡＤＶメッセージを受信及び／または復号化するために要求される遊休モード移動局の処理電力は比例的に増加する。
【００３８】
したがって、基地局がページング広告メッセージＭＯＢ−ＰＡＧ−ＡＤＶを介して移動局に遊休モード維持を指示する場合、該当の移動局の識別子（例えば、ＭＡＣアドレスハッシュ）を省略可能にすると、ページング広告メッセージの大きさを減らすことができる。なお、無線資源の電力消費を低減でき、該当の移動局が遊休モード動作の有効性（ａｖａｉｌａｂｉｌｉｔｙ）を更新可能になる。
【００３９】
以下ではＭＯＢ−ＰＡＧ−ＡＤＶメッセージからページングパラメータを省略するための様々な好適な実施例について述べる。ページングパラメータは、移動局識別子（例えば、ＭＡＣアドレスハッシュ）、移動局識別子と関連した動作コード、及びＴＬＶパラメータを含む。
【００４０】
好ましい第１実施例として、ページング広告メッセージＭＯＢ−ＰＡＧ−ＡＤＶのタイプを定義し、メッセージタイプによって遊休モード移動局に関するページングパラメータを包含または省略する。この場合、ページング広告メッセージＭＯＢ−ＰＡＧ−ＡＤＶで全ての遊休モード移動局が遊休モードを維持するように指示する場合に限ってページングパラメータを省略できる。
【００４１】
好ましい第２実施例として、移動局が遊休モードに切り替わる時、基地局は、ページング広告メッセージＭＯＢ−ＰＡＧ−ＡＤＶにページングパラメータの省略可能な回数を登録解除命令メッセージＤＲＥＧ＿ＣＭＤに含めて移動局に伝達できる。
【００４２】
好ましい第３実施例は、ページング広告メッセージＭＯＢ−ＰＡＧ−ＡＤＶで遊休モードを維持するページングパラメータが省略されたことを知らせる特定フラグを使用する方法である。この場合、ページング広告メッセージＭＯＢ−ＰＡＧ−ＡＤＶで全体移動局に相応するページングパラメータが省略されるのではなく、遊休モードを維持するように指示する移動局に相応するページングパラメータがＭＯＢ−ＰＡＧ−ＡＤＶメッセージから省略される。位置更新及びネットワーク登録手順を行うように指示する移動局に対するページングパラメータは含まれることができる。
【００４３】
好ましい第４実施例として、遊休モードの移動局が、連続した一定回数の間にページング広告メッセージＭＯＢ−ＰＡＧ−ＡＤＶから自分の識別子（例えば、ＭＡＣアドレスハッシュ）を受信できなかった場合、遊休モード動作の有効性更新のために、位置更新手順を行う。この場合、基地局は、移動局が遊休モードに切り替わる時、登録解除命令メッセージＤＲＥＧ−ＣＭＤを介して前記回数を移動局に伝達できる。ページンググループ内の基地局は、該当のページングパラメータを前記回数内にページング広告メッセージＭＯＢ−ＰＡＧ−ＡＤＶに含めることによって、移動局が別の位置更新手順を行わずにも遊休モード動作の有効性を更新できるようにする。基地局の伝達するページング広告メッセージに移動局の識別子を省略できる回数は、基地局またはページング制御局によって管理及び更新されることができる。
【００４４】
表８は、本発明の第１実施例によるページング広告メッセージＭＯＢ−ＰＡＧ−ＡＤＶを示す一例である。
【００４５】
【表８】
2008526083.tif 000010
表９は、本発明の第２実施例による登録解除命令メッセージＤＲＥＧ−ＣＭＤに含まれるパラメータを示す一例である。
【００４６】
【表９】
2008526083.tif 000011
上記表９のように、移動局の識別子が省略される回数を表すパラメータが、登録解除命令メッセージＤＲＥＧ−ＣＭＤに含まれることができる。
【００４７】
表１０には、本発明の第２実施例による登録解除命令ＤＲＥＧ−ＣＭＤメッセージに含まれるパラメータの一例を示す。
【００４８】
【表１０】
2008526083.tif 000012
表１０に示すように、ＭＯＢ−ＰＡＧ−ＡＤＶメッセージに含まれる移動局識別子の含まれる区間を表すパラメータは、ＤＲＥＧ−ＣＭＤメッセージに含まれることができる。
【００４９】
本発明の好ましい第２実施例において、遊休モード移動局の動作を周期的に指示するページング広告メッセージＭＯＢ−ＰＡＧ−ＡＤＶは、従来技術におけるページング広告メッセージＭＯＢ−ＰＡＧ−ＡＤＶと同じものを使用することができる。ただし、基地局は、登録解除命令メッセージＤＲＥＧ＿ＣＭＤで移動局の遊休モード切り替えを許諾しながら伝達した移動局識別子の省略可能回数によって、該当の移動局が持続して遊休モードを維持しなければならない場合に、ページング広告メッセージＭＯＢ−ＰＡＧ−ＡＤＶから移動局の識別子を規則的に省略することができる。
【００５０】
また、遊休モード移動局は、ページング期間の間に遊休モードを維持するように動作が指示される場合に、規則的に移動局の識別子が省略されるので、自分の識別子が含まれていなくても遊休モード動作に問題がないと判断する。移動局識別子の省略可能回数に基づき、ページング広告メッセージＭＯＢ−ＰＡＧ−ＡＤＶに周期的に伝達される自分の識別子を用いて遊休モード動作の有効性を更新する。
【００５１】
もし、基地局間のページング広告メッセージＭＯＢ−ＰＡＧ−ＡＤＶの転送同期が合わず、移動局識別子の省略可能回数が越えたにもかかわらずページング広告メッセージＭＯＢ−ＰＡＧ−ＡＤＶから自分の識別子を受信できなかった場合に、移動局は次のように動作できる。すなわち、一定回数だけページング広告メッセージＭＯＢ−ＰＡＧ−ＡＤＶをさらに受信したにもかかわらず、前記ページング広告メッセージＭＯＢ−ＰＡＧ−ＡＤＶから該当移動局の識別子を受信できなかった場合には、遊休モード動作に問題があると判断する。移動局は、以降ネットワーク登録手順を行ったり、位置更新手順を行うことができる。上述の既に設定された時間の回数は、上記表１０のパラメータ設定値を２倍にした値になりうる。選択的に、上述の既に設定された時間の回数は、表９のパラメータ設定値に‘１’を加えた後、その値を２倍にした値と決定されることができる。
【００５２】
表１１には、本発明の好ましい第３実施例によるＭＯＢ−ＰＡＧ−ＡＤＶメッセージの一例を示す。
【００５３】
【表１１】
2008526083.tif 000013
本発明の好ましい第３実施例においては、遊休モード維持の要求される移動局がページング広告メッセージＭＯＢ−ＰＡＧ−ＡＤＶから省略された否かをフラグを用いて知らせることによって、位置更新及びネットワーク登録手順を行うべき移動局がある場合にも、ページング広告メッセージＭＯＢ−ＰＡＧ−ＡＤＶを減らすことができる。
【００５４】
しかしながら、本発明の好ましい第１実施例及び第３実施例において、複数のページング広告メッセージＭＯＢ−ＰＡＧ−ＡＤＶを伝達する間に移動局の遊休モード維持が持続して要求されても、全体移動局の識別子を含むページング広告メッセージＭＯＢ−ＰＡＧ−ＡＤＶ（例えば、本発明の第１実施例のページングタイプ（ｐａｇｉｎｇ  ｔｙｐｅ）値を０に設定したり、第３実施例において‘Ｏｍｉｔ  ＭＳＳ  ＭＡＣ  Ａｄｄｒｅｓｓ  ｈａｓｈ’値を０に設定）を適切に伝達することによって、遊休モード移動局が遊休モードの動作有効性を更新できるようにしなければならない。
【００５５】
表１２には、登録解除要請メッセージＤＲＥＧ−ＲＥＱと登録解除命令メッセージＤＲＥＧ−ＣＭＤに含まれるパラメータの一例を示す。
【００５６】
【表１２】
2008526083.tif 000014
表１２に示すように、ページングパラメータがページング広告メッセージから省略されうる最大回数を表すパラメータが、前記登録解除要請メッセージＤＲＥＧ−ＲＥＱと登録解除命令メッセージＤＲＥＧ−ＣＭＤに含まれることができる。表１２に設定される値は、基地局が特定移動局のページング広告メッセージＭＯＢ−ＰＡＧ−ＡＤＶから連続して省略できる移動局識別子の最大回数とされることができる。もし、移動局が前記回数の間に、自分の移動局識別子が含まれていないページング広告メッセージＭＯＢ−ＰＡＧ−ＡＤＶを受信する場合に位置更新手順を行うようにする基準となりうる。
【００５７】
本発明の好ましい第４実施例において、遊休モードに切り替わる移動局は、ページング広告メッセージから移動局の識別子が連続して省略できる最大回数を要請するために、表１２のように登録解除要請メッセージＤＲＥＧ−ＲＥＱに含めることができ、この時、基地局は登録解除命令メッセージＤＲＥＧ−ＣＭＤを介して、遊休モードに切り替わる移動局に、移動局識別子がページング広告メッセージＭＯＢ−ＰＡＧ−ＡＤＶから省略できる最大回数を表１２のように知らせる。なお、移動局識別子の最大省略可能回数パラメータが含まれていない登録解除要請メッセージＤＲＥＧ−ＲＥＱを受信しても、基地局は、登録解除命令メッセージＤＲＥＧ−ＣＭＤに表１２のような移動局識別子の最大省略可能回数を含めて移動局に伝達できる。このような移動局識別子の最大省略可能回数は、基地局またはページング制御局によって管理されることができる。同じページンググループ内の基地局は、表１２で設定した値（移動局識別子を省略したページング広告メッセージＭＯＢ−ＰＡＧ−ＡＤＶが転送されうる最大回数）以内で、ページング広告メッセージＭＯＢ−ＰＡＧ−ＡＤＶから該当移動局識別子を連続して省略できる。
【００５８】
すなわち、同じページンググループ内の基地局は、前記ページングパラメータを省略したページング広告メッセージＭＯＢ−ＰＡＧ−ＡＤＶの最大転送可能回数に関するパラメータ（表１２）を同じ値に設定して使用することができる。基地局がページング広告メッセージＭＯＢ−ＰＡＧ−ＡＤＶを転送する際、ページング広告メッセージＭＯＢ−ＰＡＧ−ＡＤＶに該当の移動局に相応するページングパラメータを表１２で設定した値（例えば、ページングパラメータを省略したページング広告メッセージＭＯＢ−ＰＡＧ−ＡＤＶの最大転送可能回数）に至る前に少なくとも一度は含めなければならない。なお、移動局は、遊休モード切り替え後に自分の移動局識別子の含まれたページング広告メッセージＭＯＢ−ＰＡＧ−ＡＤＶを受信すると、別の動作無しで遊休モード動作の有効性を更新する。もし、移動局が移動局識別子の含まれていないページング広告メッセージＭＯＢ−ＰＡＧ−ＡＤＶを表１２で設定した回数以上連続して受信する場合、遊休モード動作の有効性を更新するために基地局またはページング制御局に位置更新手順を行うことができる。
【００５９】
本発明で、基地局が、遊休モードで動作中の移動局の識別子をページング広告メッセージＭＯＢ−ＰＡＧ−ＡＤＶから省略する場合は、該当の移動局の動作コードが‘Ｎｏ  Ａｃｔｉｏｎ’すなわち、遊休モードを維持し続くように指示する場合に限って適用されることができる。
【００６０】
図２は、本発明の一実施例による、遊休モード動作方法を示す流れ図である。
【００６１】
図２を参照すると、移動局は遊休モードに切り替わるために登録解除命令ＤＲＥＧ−ＣＭＤメッセージを基地局に転送する（Ｓ２０１）。移動局からＤＲＥＧ−ＣＭＤメッセージを受信した後に、基地局は、移動局の遊休モード切り替えを許諾する（Ｓ２０２）。
【００６２】
移動局は、既に設定されたページング周期区間で基地局からＭＯＢ−ＰＡＧ−ＡＤＶメッセージを受信する（Ｓ２０３）。もし、ページング広告メッセージＭＯＢ−ＰＡＧ−ＡＤＶが移動局の識別子（例えば、ＭＡＣアドレスハッシュ）を含む場合、すなわち、該ページング広告メッセージＭＯＢ−ＰＡＧ−ＡＤＶが移動局のＭＡＣアドレスハッシュを含むタイプ（Ｎｏｒｍａｌ  ｔｙｐｅ）である場合、前記ページング広告メッセージＭＯＢ−ＰＡＧ−ＡＤＶの動作コードに基づく動作（遊休モード維持、位置更新手順遂行、または、ネットワーク登録）を行う。
【００６３】
この場合には、移動局自分の識別子（例えば、ＭＡＣアドレスハッシュ）を受信して遊休モードとして正常動作していることを点検する。もし、この時、ページング広告メッセージＭＯＢ−ＰＡＧ−ＡＤＶから自分の移動局識別子を受信した場合、移動局は、基地局にネットワーク登録または位置更新手順を行うことによって、遊休モードの動作に対する有効性を更新することができる。
【００６４】
移動局は、定められたページング周期に合わせて基地局からページング広告メッセージＭＯＢ−ＰＡＧ−ＡＤＶを受信する（Ｓ２０４）。ページング広告メッセージＭＯＢ−ＰＡＧ−ＡＤＶが移動局の識別子（例えば、ＭＡＣアドレスハッシュ）を含まない場合、すなわち、ページング広告メッセージＭＯＢ−ＰＡＧ−ＡＤＶタイプが移動局の識別子であるＭＡＣアドレスハッシュを含まないタイプ（Ｃｏｍｐｒｅｓｓｅｄ  ｔｙｐｅ）である場合、移動局は、遊休モードを維持し続くように指示する動作コードを受信したと判断する。この場合、自分の識別子（例えば、ＭＡＣアドレスハッシュ）を受信できなかったため、遊休モードの動作状態に対する有効性を更新することはできない。
【００６５】
図３は、本発明の他の実施例による、遊休モード動作方法を示す流れ図である。
【００６６】
図３を参照すると、移動局は、登録解除要請メッセージＤＲＥＧ＿ＲＥＱを介して基地局に遊休モードへの切り替えを要請する（Ｓ３０１）。前記登録解除要請メッセージＤＲＥＧ＿ＲＥＱを受信した基地局は、移動局の遊休モード切り替えを許可する（Ｓ３０２）。この場合に、基地局は、ページンググループ内で共通的に適用される遊休モード識別子省略可能回数（この値を本発明の動作説明では２とした）を移動局に伝達する。
【００６７】
移動局は、定められたページング周期に合わせて基地局からページング広告メッセージＭＯＢ−ＰＡＧ−ＡＤＶを受信する（Ｓ３０３）。ＭＯＢ−ＰＡＧ−ＡＤＶメッセージを受信した後に、前記ＭＯＢ−ＰＡＧ−ＡＤＶメッセージに含まれた該当移動局の識別子に基づいて遊休モードとして正常に動作していることを点検することによって、移動局は遊休モード動作の有効性を更新する。
【００６８】
基地局は、移動局識別子省略可能回数を適用してページング周期ごとにページング広告メッセージＭＯＢ−ＰＡＧ−ＡＤＶ）に遊休モード維持が要求される該当移動局の識別子（例えば、ＭＡＣアドレスハッシュ）を省略するか否かを決定する。もし、移動局識別子がＭＯＢ−ＰＡＧ−ＡＤＶメッセージから省略される場合、移動局識別子省略可能回数は１減少する。
【００６９】
移動局は、定められたページング周期に合わせて基地局からページング広告メッセージＭＯＢ−ＰＡＧ−ＡＤＶを受信する（Ｓ３０４）。移動局が前記ページング広告メッセージＭＯＢ−ＰＡＧ−ＡＤＶを介して自分の識別子（ＭＡＣアドレスハッシュ）を受信できなかった場合、遊休モードを維持するように指示する動作コードを受信したのと同一に見なし、遊休モードを維持し続く。ただし、移動局は、遊休モードへの切り替え時に基地局から受けた移動局識別子省略可能回数に基づいて、遊休モード動作に問題があるか点検する。
【００７０】
移動局識別子省略可能回数を超過し、遊休モード動作が有効でないと判断しうる既に設定された時間の間に、ページング広告メッセージＭＯＢ−ＰＡＧ−ＡＤＶから自分の移動局識別子を受信できなかった場合、移動局は、基地局にネットワーク登録手順または位置更新手順を行うことによって、遊休モードの動作に対する有効性を更新する。前記既に設定された時間の間に、移動局は、遊休モード動作有効性の有無を決定する。例えば、既に設定された時間は、移動局識別子省略可能回数に１を加えた値を２倍した値に決定されることができる。
【００７１】
基地局は、遊休モード維持が要求され、該当の移動局の移動局識別子省略可能回数が１以上であれば、ページング広告メッセージＭＯＢ−ＰＡＧ−ＡＤＶから該当移動局の識別子（ＭＡＣアドレスハッシュ）を省略し、移動局識別子省略可能回数を１減少させる。移動局は、定められたページング周期に合わせて基地局からページング広告メッセージＭＯＢ−ＰＡＧ−ＡＤＶを受信する（Ｓ３０５）。
【００７２】
ページング広告メッセージＭＯＢ−ＰＡＧ−ＡＤＶを介して自分の識別子（例えば、ＭＡＣアドレスハッシュ）を受信できなかった場合は、遊休モードを維持するように指示する動作コードを受信したのと同一に見なし、遊休モードを維持し続く。ただし、移動局は、遊休モードへの切り替え時に基地局から受けた移動局識別子省略可能回数に基づき、遊休モード動作に問題があるか点検する。移動局識別子省略可能回数を超過し、遊休モード動作が有効でないと判断しうる既に設定された時間の間に、ページング広告メッセージＭＯＢ−ＰＡＧ−ＡＤＶを介して自分の移動局識別子を受信できなかった場合、基地局にネットワーク登録または位置更新手順を行うことによって、遊休モードの動作に対する有効性を更新する。前記既に設定された時間の間に、移動局は遊休モード動作の有効性の有無を決定することができる。
【００７３】
もし、移動局が遊休モードを維持しなければならなく、且つ、省略可能な移動局識別子（ＭＳ  ＩＤ）の数が０である場合、基地局は、移動局識別子及び遊休モード維持を指示する動作コードをＭＯＢ−ＰＡＧ−ＡＤＶメッセージに含め、該ＭＯＢ−ＰＡＧ−ＡＤＶメッセージを移動局に転送する（Ｓ３０６）。この場合に、移動局識別子の省略可能な回数を更新する。ＭＯＢ−ＰＡＧ−ＡＤＶメッセージを受信した後に、移動局は、ＭＯＢ−ＰＡＧ−ＡＤＶメッセージに含まれた移動局識別子に基づいて遊休モードが正常に動作するか否かを判断することによって、遊休モード動作の有効性を更新する。
【００７４】
基地局は、ページング広告メッセージＭＯＢ−ＰＡＧ−ＡＤＶを介して移動局の位置更新及び有効性更新のためのレンジングを命令する。移動局が前記命令に応じてレンジングを行う場合、基地局と移動局は、移動局識別子の省略回数を更新できる。
【００７５】
図４は、本発明の一実施例による、図３の方法をより詳細に示す流れ図である。
【００７６】
すなわち、図４は、移動局が基地局間で移動することから、移動局識別子の省略可能回数が移動局識別子の省略可能回数の最大値に到達するまでＭＯＢ−ＰＡＧ−ＡＤＶメッセージを介して自分の移動局識別子を受信できなかった場合の動作を示している。
【００７７】
図４を参照すると、移動局は、登録解除要請メッセージＤＲＥＧ＿ＲＥＱを介して第１基地局に遊休モードへの切り替えを要請する（Ｓ４０１）。移動局からＤＲＥＧ−ＲＥＱメッセージを受信した後に、第１基地局は、特定メッセージを介して移動局の遊休モード切り替えを許可する（Ｓ４０２）。この時、第１基地局ページンググループ内で共通的に適用される遊休モード識別子省略可能回数（この値を、例えば、本発明の動作説明では２とした。）を移動局に伝達する。
【００７８】
移動局は、定められたページング周期によって第１基地局からページング広告メッセージＭＯＢ−ＰＡＧ−ＡＤＶを受信する（Ｓ４０３）。移動局は、前記ページング広告メッセージＭＯＢ−ＰＡＧ−ＡＤＶに含まれた移動局の識別子に基づいて自分が遊休モードで正常に動作していることを点検することによって、遊休モード動作の有効性を更新する。
【００７９】
移動局は、定められたページング周期に合わせて第１基地局からページング広告メッセージＭＯＢ−ＰＡＧ−ＡＤＶを受信する（Ｓ４０４）。移動局は、前記ページング広告メッセージＭＯＢ−ＰＡＧ−ＡＤＶを介して自分の識別子（例えば、ＭＡＣアドレスハッシュ）を受信できなかった場合、遊休モードを維持するように指示する動作コードを受信したのと同一に見なし、遊休モードを維持し続く。
【００８０】
もし移動局が第１基地局から第２基地局へ移動する場合、移動局は、第２基地局との下り回線フレーム同期を獲得し、ページング周期及びページングオフセットによってＭＯＢ−ＰＡＧ−ＡＤＶメッセージを受信する（Ｓ４０５）。移動局がＭＯＢ−ＰＡＧ−ＡＤＶメッセージを介して自分の識別子（例えば、ＭＡＣアドレスハッシュ）を受信できなかった場合、遊休モードを維持するように指示する動作コードを受信したのと同一に見なし、遊休モードを維持し続く。
【００８１】
もし、基地局間にＭＯＢ−ＰＡＧ−ＡＤＶメッセージの転送同期が一致しない場合、基地局間の移動局識別子の省略可能回数が更新される時点が一致しないこともありうる（Ｓ４０６）。したがって、ＭＯＢ−ＰＡＧ−ＡＤＶメッセージに該当移動局の識別子が含まれなければならない時点であるにも拘わらず、基地局の変更によって移動局の識別子が前記ＭＯＢ−ＰＡＧ−ＡＤＶメッセージに含まれないことがある。
【００８２】
このような場合、移動局は、遊休モード動作が有効でないと判断できる特定時点になったか点検する。該特定時点は、移動局識別子省略可能回数に１を加えた値を２倍した値に決定される。もし、遊休モード動作が有効でないと判断する時点でなければ、遊休モードを維持するように指示する動作コードを受信したのと同一に見なし、遊休モードを維持し続く。もし遊休モード移動局が、遊休モード動作が有効でないと判断しうる期間の間にＭＯＢ−ＰＡＧ−ＡＤＶメッセージを介して自分の移動局識別子を受信できなかった場合、基地局にネットワーク登録または位置更新手順を行うことによって、遊休モードの動作に対する有効性を更新する。
【００８３】
もし、移動局が遊休モードを維持しなければならなく、且つ、省略可能な移動局識別子の個数が０であれば、第２基地局は、移動局識別子及び遊休モードを指示する動作コードをＭＯＢ−ＰＡＧ−ＡＤＶメッセージに含める。第２基地局は、ＭＯＢ−ＰＡＧ−ＡＤＶメッセージを移動局に転送する（Ｓ４０７）。この場合に、基地局は省略可能な移動局識別子の個数を更新する。移動局は、ＭＯＢ−ＰＡＧ−ＡＤＶメッセージに含まれた移動局識別子に基づき、遊休モードが正常に動作しているか否かを判断することによって、遊休モードの有効性を更新する。
【００８４】
本発明の好ましい第３実施例は、ＭＯＢ−ＰＡＧ−ＡＤＶメッセージに遊休モード維持を指示する移動局だけでなく、位置更新及びネットワーク登録手順を行うように指示する移動局が含まれる場合にも、遊休モード維持移動局の識別子を省略できるようにするためのものである。
【００８５】
図５は、本発明のさらに他の実施例による、遊休モード動作方法を示す流れ図である。
【００８６】
図５を参照すると、移動局は、遊休モードに切り替えるためにＤＲＥＧ−ＲＥＱメッセージを基地局に転送する（Ｓ５０１）。移動局からＤＲＥＧ−ＲＥＱメッセージを受信した後に、基地局は、移動局が遊休モードに切り替えるのを許諾する（Ｓ５０２）。移動局は、既に設定されたページング周期区間で基地局からＭＯＢ−ＰＡＧ−ＡＤＶメッセージを受信する（Ｓ５０３）。
【００８７】
このような場合に、もしＭＯＢ−ＰＡＧ−ＡＤＶメッセージに全移動局識別子（例えば、ＭＡＣアドレスハッシュ）が含まれると、移動局は、ＭＯＢ−ＰＡＧ−ＡＤＶメッセージの動作コードによって遊休モードを維持し、位置更新手順を行ったりネットワーク登録手順を行う。なお、移動局が、ＭＯＢ−ＰＡＧ−ＡＤＶメッセージから移動局識別子（例えば、ＭＡＣアドレスハッシュ）を獲得することによって、移動局が遊休モードを正常に行っているか否かを判断する。ＭＯＢ−ＰＡＧ−ＡＤＶメッセージに含まれた特定フラグ（ｆｌａｇ）は、ＭＯＢ−ＰＡＧ−ＡＤＶメッセージに全移動局識別子が含まれたか否かを表すことができる。
【００８８】
移動局は、既に設定されたページング周期区間で基地局からＭＯＢ−ＰＡＧ−ＡＤＶメッセージを受信する（Ｓ５０４）。この時、ＭＯＢ−ＰＡＧ−ＡＤＶメッセージに含まれた特定フラグを介して、遊休モード維持が要求される移動局の識別子をＭＯＢ−ＰＡＧ−ＡＤＶメッセージから省略するという情報が受信され、前記ＭＯＢ−ＰＡＧ−ＡＤＶメッセージが遊休モード維持が要求される移動局の識別子（例えば、ＭＡＣアドレスハッシュ）を含まない場合、移動局が前記ＭＯＢ−ＰＡＧ−ＡＤＶメッセージを介して自分の識別子（例えば、ＭＡＣアドレスハッシュ）を受信できないと、遊休モードを維持し続くように指示する動作コードを受信したのと同一に見なす。この場合に、移動局が移動局識別子（例えば、ＭＡＣアドレスハッシュ）を受信できなかった場合、遊休モード動作の有効性は更新されない。もし、移動局がＭＯＢ−ＰＡＧ−ＡＤＶメッセージを受信した後に、全体移動局識別子が含まれたＭＯＢ−ＰＡＧ−ＡＤＶメッセージから移動局識別子を獲得できないと、移動局は、基地局にネットワーク登録手順または位置更新手順を行うことによって、遊休モード動作の有効性を更新できる。
【００８９】
図６は、本発明のさらに他の実施例による、遊休モード動作方法を説明するための第１流れ図である。
【００９０】
図６は、移動局識別子の省略可能回数の最大値を基地局が管理する場合の動作を示している。図６を参照すると、移動局は、遊休モードに切り替わるために登録解除要請ＤＲＥＧ−ＲＥＱメッセージを基地局に転送する（Ｓ６０１）。この場合に、移動局識別子を持たないＭＯＢ−ＰＡＧ−ＡＤＶメッセージの最大転送回数はＤＲＥＧ−ＲＥＱメッセージに含まれることができ、移動局はＤＲＥＧ−ＲＥＱメッセージを基地局に転送できる（Ｓ６０１）。移動局からＤＲＥＧ−ＲＥＱメッセージを受信した後に基地局は、前記登録解除命令ＤＲＥＧ＿ＣＭＤメッセージを介して移動局に遊休モードへの切り替えを許可する（Ｓ６０２）。この時、ＤＲＥＧ＿ＣＭＤメッセージは、移動局識別子を省略したＭＯＢ−ＰＡＧ−ＡＤＶメッセージの最大転送可能回数（この値を、例えば、本発明の動作説明では４とした。）に関する情報を含む。また、基地局は、移動局識別子の最大省略可能回数パラメータが含まれていないＤＲＥＧ−ＲＥＱメッセージを受信しても、移動局識別子を省略したＭＯＢ−ＰＡＧ−ＡＤＶメッセージの最大転送可能回数に関する情報をＤＲＥＧ−ＣＭＤメッセージに含むことができる。前記移動局識別子の最大省略可能回数パラメータは、一つのページンググループ内で基地局またはページング制御局が管理できる。前記移動局識別子を省略したＭＯＢ−ＰＡＧ−ＡＤＶメッセージの最大転送可能回数はページンググループ内に共通的に適用される。
【００９１】
移動局は、定められたページング周期に合わせて基地局からＭＯＢ−ＰＡＧ−ＡＤＶメッセージを受信する（Ｓ６０３）。ＭＯＢ−ＰＡＧ−ＡＤＶメッセージを受信した後に、移動局は、ＭＯＢ−ＰＡＧ−ＡＤＶメッセージを介して受信した該当移動局の識別子に基づいて、遊休モードにおいて正常に動作していることを点検することによって、遊休モード動作の有効性を更新する。
【００９２】
基地局は、特定移動局の識別子の最大省略可能回数を認識し、遊休モードを維持するのに要求される特定移動局の識別子（例えば、ＭＡＣアドレスハッシュ）を、既に設定されたページング周期区間でＭＯＢ−ＰＡＧ−ＡＤＶメッセージから省略できるか否かを決定することができる。
【００９３】
移動局は、既に設定されたページング周期区間で、基地局からＭＯＢ−ＰＡＧ−ＡＤＶメッセージを受信する（Ｓ６０４）。もし移動局がＭＯＢ−ＰＡＧ−ＡＤＶメッセージから自分の識別子（例えば、ＭＡＣアドレスハッシュ）を獲得できないと、移動局は、遊休モードの維持を指示する動作コードが受信されたのと同一に見なせば良い。このような場合に、移動局は、遊休モードに切り替わる場合、基地局から受信した移動局識別子の最大省略可能回数に基づいて遊休モード動作に問題が発生したか否かを判断できる。もし、ＭＯＢ−ＰＡＧ−ＡＤＶメッセージから移動局識別子を連続して受信できなかった回数が移動局識別子の最大省略可能回数を越えない場合、移動局は遊休モードを維持し続く。
【００９４】
基地局は、遊休モード維持が要求され、該当移動局の移動局識別子最大省略可能回数以内で該当移動局の識別子をＭＯＢ−ＰＡＧ−ＡＤＶメッセージから連続して省略した場合、ＭＯＢ−ＰＡＧ−ＡＤＶメッセージから該当移動局の識別子（例えば、ＭＡＣアドレスハッシュ）を省略できる。移動局は、定められたページング周期に合わせて基地局からＭＯＢ−ＰＡＧ−ＡＤＶメッセージを受信する（Ｓ６０５）。
【００９５】
もし、移動局がＭＯＢ−ＰＡＧ−ＡＤＶメッセージから移動局識別子（例えば、ＭＡＣアドレスハッシュ）を受信できなかった場合は、移動局は、遊休モード維持を指示する動作コードが受信されたと見なし、引続き遊休モードを維持する。この時、移動局が遊休モードに切り替わる場合に基地局から受信した移動局識別子の最大省略可能な回数に基づいて遊休モード動作に問題が発生したか否かを判断できる。もし、ＭＯＢ−ＰＡＧ−ＡＤＶメッセージから受信した移動局識別子の連続的な受信回数が移動局識別子の最大省略可能回数と等しいまたは少ないと、移動局は引続き遊休モードを維持する。
【００９６】
基地局は、遊休モード維持が要求される移動局に対して移動局識別子の最大省略可能回数以内に、ＭＯＢ−ＰＡＧ−ＡＤＶメッセージに該当移動局の識別子と遊休モード維持を指示する動作コードを含めて伝達する（Ｓ６０６）。この時、基地局またはページング制御局は、該当の移動局に対する移動局識別子の最大省略可能回数を更新する。移動局は、ＭＯＢ−ＰＡＧ−ＡＤＶメッセージに含まれた自分の識別子に基づいて遊休モードにおいて正常に動作していることを点検することによって、遊休モード動作の有効性を更新する。
【００９７】
基地局が、ＭＯＢ−ＰＡＧ−ＡＤＶメッセージを介して移動局の位置更新及び有効性更新のためのレンジングを命令する。移動局が基地局からレンジング手順に対する命令を受信した後に、該命令に応じて移動局がレンジングを行う場合、基地局または移動局は移動局識別子の省略回数を更新できる。
【００９８】
図７は、本発明の一実施例による、図６の方法を示す第２流れ図である。
【００９９】
図７は、移動局が移動局識別子の省略されたＭＯＢ−ＰＡＧ−ＡＤＶメッセージを、ＭＯＢ−ＰＡＧ−ＡＤＶメッセージの最大転送回数を超過して受信した場合の様々な動作を示している。
【０１００】
図７を参照すると、移動局は、ＤＲＥＧ＿ＲＥＱメッセージを介して基地局に遊休モードへの切り替えを要請する（Ｓ７０１）。移動局からＤＲＥＧ−ＲＥＱメッセージを受信した後に、基地局は、ＤＲＥＧ＿ＣＭＤメッセージを介して移動局の遊休モード切り替えを許可する（Ｓ７０２）。この時、基地局は、ページンググループ内で共通的に適用される遊休モード識別子省略可能回数（この値を、例えば、本発明の動作説明では４とした。）を、移動局に伝達する。
【０１０１】
移動局は、定められたページング周期によって基地局からＭＯＢ−ＰＡＧ−ＡＤＶメッセージを受信する（Ｓ７０３）。移動局は、ＭＯＢ−ＰＡＧ−ＡＤＶメッセージに含まれた移動局の識別子に基づいて自分が遊休モードで正常に動作していることを点検することによって、遊休モード動作の有効性を更新する。
【０１０２】
移動局は、定められたページング周期に合わせて基地局からＳ７０４〜Ｓ７０６段階でＭＯＢ−ＰＡＧ−ＡＤＶメッセージを受信する。移動局は、前記ＭＯＢ−ＰＡＧ−ＡＤＶメッセージを介して自分の識別子（例えば、ＭＡＣアドレスハッシュ）を受信できなかった場合、遊休モードを維持するように指示する動作コードを受信したのと同一に見なす。ただし、移動局は、遊休モードへの切り替え時に基地局から受けた移動局識別子の最大省略可能回数に基づき、遊休モード動作に問題があるかを点検する。ＭＯＢ−ＰＡＧ−ＡＤＶメッセージから自分の移動局識別子を連続して受信できなかった回数が移動局識別子の最大省略可能回数を越えない場合、移動局は遊休モードを維持し続く。
【０１０３】
移動局は、定められたページング周期に合わせて基地局からＭＯＢ−ＰＡＧ−ＡＤＶメッセージを受信する（Ｓ７０７）。もし、移動局がＭＯＢ−ＰＡＧ−ＡＤＶメッセージから自分の識別子（例えば、ＭＡＣアドレスハッシュ）を受信できなかった場合、移動局識別子の既に設定された省略値と移動局識別子の最大省略可能回数とを比較する。もし、移動局がページング広告メッセージから、少なくとも移動局識別子の最大省略可能回数以上連続して移動局識別子を受信できなかった場合、移動局は、遊休モード動作が有効でないと判断できる。この時、移動局は、基地局またはページング制御局に位置更新手順を行うことによって、遊休モードの動作に対する有効性を更新できる。移動局は、位置更新手順を行うために基地局にレンジングを要請する（Ｓ７０８）。移動局からレンジング要請を受信した基地局は、該当移動局の位置を更新してレンジング応答メッセージを伝達することによって、遊休モード動作の有効性を更新する（Ｓ７０９）。
【０１０４】
図８は、本発明の一実施例による、図６の方法を示す第３流れ図である。
【０１０５】
図８は、移動局識別子の最大省略可能回数がページング制御局によって制御される場合の様々な動作を示している。図８を参照すると、移動局は遊休モードに切り替わるためにＤＲＥＧ−ＲＥＱメッセージを基地局に転送する。移動局識別子の最大省略可能回数を指示するパラメータ（例えば、ＭＡＣハッシュ省略限度値パラメータで表す。）は、ＤＲＥＧ−ＲＥＱメッセージに含まれることができる。このパラメータを含むＤＲＥＧ−ＲＥＱメッセージは基地局に転送される（Ｓ８０１）。上述した基地局識別子の最大省略可能回数を表すパラメータを、表１２に示す。
【０１０６】
もし、基地局が移動局からＤＲＥＧ−ＲＥＱメッセージに含まれた遊休モード切り替え要請を受信すると、基地局は、移動局が遊休モードに切り替わる特定状態を指示するために下記表１３で表した遊休モード情報要求（例えば、Ｉｄｌｅ−Ｉｎｆｏ−ＲＥＱ）メッセージをページング制御局に転送する。
【０１０７】
表１３は、Ｉｄｌｅ−Ｉｎｆｏ−ＲＥＱメッセージの一例である。
【０１０８】
【表１３】
2008526083.tif 000015
表１３に示すように、Ｉｄｌｅ−Ｉｎｆｏ−ＲＥＱメッセージは、遊休モードへの切り替えを要請するために転送するＭＡＣアドレス及び移動局から受信したＭＡＣハッシュ省略限度ＴＬＶ（表１２参照）値を含む。
【０１０９】
Ｉｄｌｅ−Ｉｎｆｏ−ＲＥＱメッセージを受信した後に、Ｉｄｌｅ−Ｉｎｆｏ−ＲＥＱメッセージを受信したページング制御局は、ｉｄｌｅ−Ｉｎｆｏ−ＲＳＰメッセージを基地局に転送する（Ｓ８０３）。
【０１１０】
表１４は、Ｉｄｌｅ−Ｉｎｆｏ−ＲＳＰメッセージの一例である。
【０１１１】
【表１４】
2008526083.tif 000016
表１４に示すように、Ｉｄｌｅ−Ｉｎｆｏ−ＲＳＰメッセージは、遊休モードに切り替わる端末のＭＡＣアドレスと表１２のようなＭＡＣハッシュ省略限度値ＴＬＶ（この値を、例えば、本発明の動作説明で４とした。）を含む。また、ページング制御局は、ＭＡＣハッシュ省略限度値パラメータが含まれていない遊休モード情報要請メッセージを受信しても、ＭＡＣハッシュ省略限度値パラメータを遊休モード情報応答メッセージＩｄｌｅ−Ｉｎｆｏ−ＲＳＰに含めて基地局に伝達できる。遊休モード情報応答メッセージを受信した基地局は、Ｓ８０４段階で遊休モード切り替えを要請した前記端末に、ＤＲＥＧ−ＣＭＤメッセージを介して移動端末の遊休モード切り替えを指示する。この時、前記登録解除命令メッセージは、遊休モード切り替えを指示する情報、ページング情報ＴＬＶ（例えば、ページング周期、ページングオフセット及びページンググループＩＤ）、ページング制御局ＩＤ  ＴＬＶ、遊休モード維持情報ＴＬＶ、及びＭＡＣハッシュ省略限度値ＴＬＶを含む。
【０１１２】
ページング制御局は、移動局の遊休モードへの切り替えを許諾するページング通知（Ｐａｇｉｎｇ−Ａｎｎｏｕｎｃｅｍｅｎｔ）メッセージを基地局に転送する。ページング通知メッセージは、前記基地局が含まれた同じページンググループ内の全ての基地局にも同様に転送されることによって、前記基地局は、次のページング区間の間に特定動作を行うことができるように指示するＭＯＢ−ＰＡＧ−ＡＤＶメッセージを移動局に転送できる（Ｓ８０５）。この時、ＭＡＣハッシュ省略限度値を適用して遊休モードを維持しなければならない移動局に対して、ページング制御局が、移動局に転送するＭＯＢ−ＰＡＧ−ＡＤＶメッセージにＭＡＣハッシュアドレスの含まれたか否かを知らせる。すなわち、ＭＡＣアドレスをＭＯＢ−ＰＡＧ−ＡＤＶメッセージから省略する移動局に対して、ページング制御局はページング通知メッセージに該当移動局のＭＡＣアドレスと動作コードを含めないし、移動局のＭＡＣアドレスをＭＯＢ−ＰＡＧ−ＡＤＶメッセージに含めるように指示するためには、ＭＯＢ−ＰＡＧ−ＡＤＶメッセージに該当移動局のＭＡＣアドレスと動作コード“Ｎｏ  ａｃｔｉｏｎ  Ｒｅｑｕｉｒｅｄ”を含めてページンググループ内の基地局に伝達する。もし、ページング通知メッセージから移動局のＭＡＣアドレスを省略した場合、ページング制御局は、該当移動局に対するＭＡＣハッシュ省略限度値を１ずつ減少させる。一方、もし移動局のＭＡＣアドレスをページング通知メッセージに含めた場合、ＭＡＣハッシュ省略限度値を更新またはリセットする。
【０１１３】
表１５は、ページング通知メッセージの一例である。
【０１１４】
【表１５】
2008526083.tif 000017
もし、基地局がページング制御局からページング通知メッセージを受信した場合、基地局は、既に設定されたページング周期区間でＭＯＢ−ＰＡＧ−ＡＤＶメッセージを移動局に転送する。もし、移動局がＭＯＢ−ＰＡＧ−ＡＤＶメッセージから移動局識別子（例えば、ＭＡＣアドレスハッシュ）を受信した場合、移動局は遊休モード動作を正常に行っていると見なす。したがって、移動局は、遊休モード動作の有効性を更新し、ＭＡＣハッシュ省略限度値を更新する（Ｓ８０６）。
【０１１５】
ページング制御局は、ＭＡＣハッシュ省略限度値が０とならない回数内でページング通知メッセージから移動局のＭＡＣアドレスと動作コードを省略して基地局に伝達できる（Ｓ８０７）。この時、ページング制御局は、ＭＡＣアドレスを省略した移動局に対するＭＡＣハッシュ省略限度値を１ずつ減少させる。
【０１１６】
もし、既に設定されたページング周期になると、基地局は、ページング制御局から受信した通知メッセージに含まれた該当移動局のＭＡＣアドレス及び動作コードをＭＯＢ−ＰＡＧ−ＡＤＶメッセージに含める。基地局は、放送情報の形態にＭＯＢ−ＰＡＧ−ＡＤＶメッセージを構成し、構成されたＭＯＢ−ＰＡＧ−ＡＤＶメッセージを転送する。移動局は、既に設定された周期区間でＭＯＢ−ＰＡＧ−ＡＤＶメッセージを受信する。もし、移動局のＭＡＣアドレスがＭＯＢ−ＰＡＧ−ＡＤＶメッセージに含まれていないと、移動局は、遊休モード維持を指示する動作コードが受信されたと見なす。ＭＯＢ−ＰＡＧ−ＡＤＶメッセージから自分の移動局識別子を連続して受信できなかった回数が、ＭＡＣハッシュ省略限度値を越えない場合、移動局は遊休モードを維持し続く（Ｓ８０８）。
【０１１７】
ページング制御局は、ＭＡＣハッシュ省略限度値内でページング通知メッセージから移動局のＭＡＣアドレスと動作コードを省略し、ページング通知メッセージを基地局に転送する（Ｓ８０９）。
【０１１８】
これを受信した基地局は、ページング周期に合わせてページング通知メッセージに基づいて設定されたＭＯＢ−ＰＡＧ−ＡＤＶメッセージを放送形態で伝達する。また移動局は、ＭＯＢ−ＰＡＧ−ＡＤＶメッセージから自分の移動局識別子を連続して受信できなかった回数が、ＭＡＣハッシュ省略限度値を越えない場合、移動局は遊休モードを維持し続く（Ｓ８１０）。
【０１１９】
ページング制御局は、ＭＡＣハッシュ省略限度値を更新するために遊休モードを維持しなければならない移動局のＭＡＣアドレスと動作コード（例えば、“Ｎｏ  Ａｃｔｉｏｎ  Ｒｅｑｕｉｒｅｄ”で表記）を含めたページング通知メッセージを基地局に伝達する。ページング制御局は、ＭＡＣハッシュ省略限度値を初期化（例えば、本発明の実施例では４とした。）する（Ｓ８１１）。
【０１２０】
基地局は、既に設定されたページング周期区間でページング通知メッセージに基づいて設定されたページング広告メッセージを放送形態で転送する。もし移動局がＭＯＢ−ＰＡＧ−ＡＤＶメッセージから移動局識別子（例えば、ＭＡＣアドレスハッシュ）を受信すると、移動局は遊休モードにおいて正常に動作していると判断して遊休モード動作の有効性を更新し、ＭＡＣハッシュ省略限界値を更新する（Ｓ８１２）。
【０１２１】
もし、移動局が、ＭＡＣハッシュ省略限界値に対応する既に設定された回数までＭＯＢ−ＰＡＧ−ＡＤＶメッセージから移動局識別子（例えば、ＭＡＣアドレスハッシュ）を連続して受信できなかった場合、移動局は、遊休モード動作が有効でないと判断する。この場合に、移動局は、レンジング手順を用いてページング制御局で位置更新手順を行うことによって、遊休モード動作の有効性を更新できる。移動局は、位置更新手順を行うために基地局にレンジング要請メッセージを転送する。この場合に、移動局は、ページング基地局識別子及び位置更新手順を指示する指示子パラメータをレンジング要請メッセージに含める。移動局から位置更新手順のためのレンジング要請メッセージを受信した後に、基地局は、移動局の位置更新動作コード及びＭＡＣアドレスを含むＩｄｌｅ−Ｉｎｆｏ−ＲＥＱメッセージをページング制御局に転送する。ページング制御局が該当移動局に対して位置更新手順を行うようにすることによって、移動局の有効性及びＭＡＣハッシュ省略限界値は更新される。位置更新手順を行った後に、ページング制御局はＩｄｌｅ−Ｉｎｆｏ−ＲＳＰメッセージを用いて基地局に位置更新結果を知らせ、基地局はレンジング応答メッセージを移動局に伝達することによって、移動局の遊休モード動作の有効性を更新する。
【０１２２】
本発明のこの実施例として、移動局（ｍｏｂｉｌｅ  ｓｔａｔｉｏｎ）で遊休モードを制御する方法は、遊休モードに進入するために前記遊休モード要請メッセージをサービング基地局に転送する段階を含む。前記方法はまた、前記移動局の移動局識別子を含むページングメッセージを受信する前に、省略可能なページング区間の回数と関連した省略限度値パラメータ（ｓｋｉｐ  ｔｈｒｅｓｈｏｌｄ  ｐａｒａｍｅｔｅｒ）が超過したか否かを点検する段階を含む。前記方法はまた、もし前記省略限度値パラメータが超過した場合、前記基地局に対する前記移動局の位置を更新するために構成された位置更新要請を基地局に転送する段階を含む。
【０１２３】
前記方法は、前記移動局から省略限度値要請パラメータを転送する段階及び前記省略限度値要請パラメータの転送に対応して前記省略限度値パラメータを受信する段階をさらに含むことができる。前記方法は、前記移動局の移動局識別子を含むページングメッセージの受信に対して前記省略限度値パラメータが超過したか否かを決定する段階を再初期化する段階をさらに含むことができる。前記方法は、前記移動局に向かう下り回線のトラフィックがない場合、ページンググループに属する少なくとも一つの基地局から前記移動局の移動局識別子のないページングメッセージを受信する段階をさらに含むことができる。前記方法は、位置更新要請がない場合、前記移動局の移動局識別子のないページングメッセージを、ページンググループに属する少なくとも一つの基地局から受信する段階をさらに含むことができる。
【０１２４】
前記省略限度値パラメータは、ページング動作を行うために、少なくとも一つのＭＡＣ（Ｍｅｄｉｕｍ  Ａｃｃｅｓｓ  Ｃｏｎｔｒｏｌ）アドレスハッシュ（ｈａｓｈ）、動作コード（ａｃｔｉｏｎ  ｃｏｄｅ）、及びＴＬＶ（Ｔｙｐｅ  Ｌｅｎｇｔｈ  Ｖａｌｕｅ）パラメータを含むことができる。前記移動局の移動局識別子を含むページングメッセージは、ページング広告メッセージでありうる。
【０１２５】
本発明の他の実施例として、ネットワーク（ｎｅｔｗｏｒｋ）で移動局の遊休モードを制御する方法は、遊休モードに進入するために前記移動局から遊休モード要請メッセージを受信する段階を含む。前記方法はまた、前記移動局から省略限度値要請パラメータを受信する段階を含む。前記方法はまた、前記省略限度値要請パラメータの受信に対応して、前記移動局が前記移動局の移動局識別子を含むページングメッセージを受信する前に、省略可能なページング区間の回数と関連した省略限度値パラメータを転送する段階を含む。前記方法はまた、もし前記省略限度値パラメータが超過した場合、前記移動局から前記移動局の位置を更新するために構成された位置更新要請を受信する段階を含む。
【０１２６】
前記方法は、前記移動局に向かう下り回線のトラフィックがない場合、前記移動局の移動局識別子のないページングメッセージを前記移動局に転送する段階及び前記基地局からパケットデータを受信する段階を含むことができ、ここで、少なくとも２つの再転送されたパケットデータは、前記基地局の相異なるアンテナから転送されることを特徴とする。前記再転送されたパケットデータは、前記基地局によって再転送された回数と関連した再転送回数を含む情報要素と共に受信することを特徴とする。
【０１２７】
前記方法は、前記移動局から受信した位置更新要請がない場合、前記移動局の移動局識別子を含まないページングメッセージを前記移動局に転送する段階をさらに含むことができる。前記ネットワークは、少なくとも一つの基地局及びページンググループに属する基地局のページングを制御するために構成されたページング制御局（ｐａｇｉｎｇ  ｃｏｎｔｒｏｌｌｅｒ）を含むことができる。
【０１２８】
本発明は、遊休モードを維持するか否かを指示する情報を提供するためのメッセージの長さを減らすための、無線接続システムにおける遊休モード動作方法を提供する。これによれば、下り回線の無線資源をより效率的に利用でき、メッセージを受信する遊休モード状態における移動局の電力消耗を減らすことが可能になる。
【０１２９】
以上の具体例に限定されず、本発明の思想や領域を逸脱しない様々な変形及び変化が可能であることは、当業者にとっては自明であろう。したがって、本発明は、添付の請求項と該当の均等範囲内で提供された発明の変形と変化も含むことは明らかである。
【図面の簡単な説明】
【０１３０】
【図１】本発明の一実施例による、複数の基地局を含むページンググループを示すダイアグラムである。
【図２】本発明の一実施例による、遊休モード動作方法を示す流れ図である。
【図３】本発明の他の実施例による、遊休モード動作方法を示す流れ図である。
【図４】本発明の一実施例による、図３の方法をより詳細に示す流れ図である。
【図５】本発明のさらに他の実施例による、遊休モード動作方法を示す流れ図である。
【図６】本発明のさらに他の実施例による、遊休モード動作方法を説明するための第１流れ図である。
【図７】本発明の一実施例による、図６の方法を示す第２流れ図である。
【図８】本発明の一実施例による、図６の方法を示す第３流れ図である。
【図１】
2008526083.tif 000018
【図２】
2008526083.tif 000019
【図３】
2008526083.tif 000020
【図４】
2008526083.tif 000021
【図５】
2008526083.tif 000022
【図６】
2008526083.tif 000023
【図７】
2008526083.tif 000024
【図８】
2008526083.tif 000025
【国際調査報告】
2008526083.tif 000026
2008526083.tif 000027